(57)【要約】【課題】嵌合凹部および複数の係合凹部を有してケース部材の回動支持部に回動可能に支持されるロータと、複数の係合凹部のうち選択された係合凹部に係合する係合位置側に向けて弾発付勢されて複数の摺動凹部のうち選択された摺動凹部に摺動可能に嵌合される棒状の永久磁石とを備え、マグネットキーの嵌合凹部への位置決め嵌合に応じて永久磁石が係合解除位置に駆動されるマグネット錠において、大型化およびコスト高を招くことなく、マグネットキーの種類を簡単に増加可能とする。【解決手段】嵌合凹部２７の形状を同一とするとともに突部３５Ａの外形形状ならびに前記嵌合凹部２７内での前記突部３５Ａの配置の少なくとも一方を相互に異ならせた複数種類のロータ２６Ａのうち選択されたロータを用いてマグネット錠が構成される。【選択図】        図３
2009138465.tif 000002
【特許請求の範囲】
【請求項１】
複数の摺動凹部（３７）が設けられる回動支持部（２９）を有する非磁性材料製のケース部材（１９）と；円形の開口部（３０）を有して前記ケース部材（１９）に取付けられるとともに前記ケース部材（１９）とともにケーシング（１８）を構成する非磁性材料製のカバー部材（２０）と；前記開口部（３０）に開口端を臨ませる嵌合凹部（２７）、該嵌合凹部（２７）の閉塞端となる壁部（３１）、前記嵌合凹部（２７）内に配置されて前記壁部（３１）から突出される突部（３５Ａ，３５Ｂ，３５Ｃ）、ならびに複数の前記摺動凹部（３７）に対応した位置で前記壁部（３１）に設けられて前記回動支持部（２９）側に向けて開放した複数の係合凹部（４０）を有して非磁性材料によって円筒状に形成されるとともに前記回動支持部（２９）に回動可能に支持されるロータ（２６Ａ，２６Ｂ，２６Ｃ）と；複数の前記係合凹部（４０）のうち選択された係合凹部（４０）に係合する係合位置ならびに選択された前記係合凹部（４０）との係合を解除する係合解除位置間での移動を可能とするとともに前記係合位置側に向けて弾発付勢されて複数の前記摺動凹部（３７）のうち選択された摺動凹部（３７）に摺動可能に嵌合される棒状の永久磁石（２８）と；を備え、前記突部（３５Ａ〜３５Ｃ）を嵌合せしめる凹部（３６Ａ，３６Ｂ，３６Ｃ）を有するマグネットキー（３８Ａ，３８Ｂ，３８Ｃ）の前記嵌合凹部（２７）への位置決め嵌合に応じて前記永久磁石（２８）が前記係合位置から係合解除位置に駆動されるマグネット錠において、前記嵌合凹部（２７）の形状を同一とするとともに前記突部（３５Ａ，３５Ｂ，３５Ｃ）の外形形状ならびに前記嵌合凹部（２７）内での前記突部（３５Ａ〜３５Ｃ）の配置の少なくとも一方を相互に異ならせた複数種類の前記ロータ（２６Ａ〜２６Ｃ）のうち選択されたロータを用いて構成されることを特徴とするマグネット錠。
【請求項２】
前記係合凹部（４０）が前記嵌合凹部（２７）の中心から放射状に延びる複数の直線上に配置され、前記突部（３５Ａ〜３５Ｃ）が前記嵌合凹部（２７）のほぼ中心に配置されることを特徴とする請求項１記載のマグネット錠。
【請求項３】
シリンダ錠（１５）の前端中央部に開口されるキー孔（１７）に対応した挿入孔（２１）を有して前記シリンダ錠（１５）のシリンダボディ（１６）に固定される前記ケーシング（１８）内に収納されるとともに、前記挿入孔（２１）を閉鎖する閉鎖位置ならびに前記挿入孔（２１）を開放する開放位置間で作動することを可能としたシャッター板（２４）に、前記ロータ（２６）が連結されることを特徴とする請求項１または２記載のマグネット錠。
【発明の詳細な説明】
【技術分野】
【０００１】
本発明は、複数の摺動凹部が設けられる回動支持部を有する非磁性材料製のケース部材と；円形の開口部を有して前記ケース部材に取付けられるとともに前記ケース部材とともにケーシングを構成する非磁性材料製のカバー部材と；前記開口部に開口端を臨ませる嵌合凹部、該嵌合凹部の閉塞端となる壁部、前記嵌合凹部内に配置されて前記壁部から突出される突部、ならびに複数の前記摺動凹部に対応した位置で前記壁部に設けられて前記回動支持部側に向けて開放した複数の係合凹部を有して非磁性材料によって円筒状に形成されるとともに前記回動支持部に回動可能に支持されるロータ；複数の前記係合凹部のうち選択された係合凹部に係合する係合位置ならびに選択された前記係合凹部との係合を解除する係合解除位置間での移動を可能とするとともに前記係合位置側に向けて弾発付勢されて複数の前記摺動凹部のうち選択された摺動凹部に摺動可能に嵌合される棒状の永久磁石と；を備え、前記突部を嵌合せしめる凹部を有するマグネットキーの前記嵌合凹部への位置決め嵌合に応じて前記永久磁石が前記係合位置から係合解除位置に駆動されるマグネット錠に関する。
【背景技術】
【０００２】
シリンダ錠のキー孔へのメカニカルキーの挿入を不能とする閉鎖位置ならびに前記キー孔へのメカニカルキーの挿入を可能とする開放位置間で作動可能なシャッター板を、その閉鎖位置で保持するようにしたマグネット錠が、特許文献１で既に知られている。
【特許文献１】特開２００３−１６１０６１号公報
【発明の開示】
【発明が解決しようとする課題】
【０００３】
ところが、上記特許文献１で開示されるものでは、複数個の摺動凹部および係合凹部が、ロータの回動軸線まわりに等間隔をあけた固定位置に配置されるものであり、このようなマグネット錠においてマグネットキーの種類を多くするには、摺動凹部および係合凹部の個数を増やす必要があり、マグネット錠の大型化およびコスト高を招くことになる。
【０００４】
本発明は、かかる事情に鑑みてなされたものであり、大型化およびコスト高を招くことなくマグネットキーの種類を増加させ得るようにしたマグネット錠を提供することを目的とする。
【課題を解決するための手段】
【０００５】
上記目的を達成するために、請求項１記載の発明は、複数の摺動凹部が設けられる回動支持部を有する非磁性材料製のケース部材と；円形の開口部を有して前記ケース部材に取付けられるとともに前記ケース部材とともにケーシングを構成する非磁性材料製のカバー部材と；前記開口部に開口端を臨ませる嵌合凹部、該嵌合凹部の閉塞端となる壁部、前記嵌合凹部内に配置されて前記壁部から突出される突部、ならびに複数の前記摺動凹部に対応した位置で前記壁部に設けられて前記回動支持部側に向けて開放した複数の係合凹部を有して非磁性材料によって円筒状に形成されるとともに前記回動支持部に回動可能に支持されるロータ；複数の前記係合凹部のうち選択された係合凹部に係合する係合位置ならびに選択された前記係合凹部との係合を解除する係合解除位置間での移動を可能とするとともに前記係合位置側に向けて弾発付勢されて複数の前記摺動凹部のうち選択された摺動凹部に摺動可能に嵌合される棒状の永久磁石と；を備え、前記突部を嵌合せしめる凹部を有するマグネットキーの前記嵌合凹部への位置決め嵌合に応じて前記永久磁石が前記係合位置から係合解除位置に駆動されるマグネット錠において、前記嵌合凹部の形状を同一とするとともに前記突部の外形形状ならびに前記嵌合凹部内での前記突部の配置の少なくとも一方を相互に異ならせた複数種類の前記ロータのうち選択されたロータを用いて構成されることを特徴とする。
【０００６】
また請求項２記載の発明は、請求項１記載の発明の構成に加えて、前記係合凹部が前記嵌合凹部の中心から放射状に延びる複数の直線上に配置され、前記突部が前記嵌合凹部のほぼ中心に配置されることを特徴とする。
【０００７】
さらに請求項３記載の発明は、請求項１または２記載の発明の構成に加えて、シリンダ錠の前端中央部に開口されるキー孔に対応した挿入孔を有して前記シリンダ錠のシリンダボディに固定される前記ケーシング内に収納されるとともに、前記挿入孔を閉鎖する閉鎖位置ならびに前記挿入孔を開放する開放位置間で作動することを可能としたシャッター板に、前記ロータが連結されることを特徴とする。
【発明の効果】
【０００８】
請求項１記載の発明によれば、嵌合凹部の形状を同一とするとともに突部の外形形状ならびに嵌合凹部内での突部の配置の少なくとも一方を相互に異ならせて複数種類のロータが構成され、それらのロータのうち選択されたロータが有する突部を嵌合せしめる凹部を有するようにマグネットキーが構成されるので、摺動凹部および係合凹部の個数を増やすことなく、簡単な変更でマグネットキーの種類を増大することが可能であり、マグネット錠の大型化およびコスト高を招くことはない。
【０００９】
また請求項２記載の発明によれば、突部が嵌合凹部のほぼ中心に配置され、係合凹部が嵌合凹部の中心から放射状に延びる複数の直線上に配置されるので、突部が永久磁石の配置の邪魔になることはない。
【００１０】
さらに請求項３記載の発明によれば、シリンダ錠のシャッター装置用として用いるにあたって、マグネットキーの種類を簡単に増大することができる。
【発明を実施するための最良の形態】
【００１１】
以下、本発明の実施の形態を、添付の図面に示した本発明の一実施例に基づいて説明する。
【００１２】
図１〜図１３は本発明の一実施例を示すものであり、図１はシャッター板が閉鎖位置に在ってマグネットキーを嵌合する前の状態でのシリンダ錠の保護装置の縦断側面図であって図３の１−１線に沿う断面図、図２はシャッター板が閉鎖位置に在ってマグネットキーを嵌合した状態でのシリンダ錠の保護装置の縦断側面図、図３は図１の３−３線矢視図、図４は図１の４−４線断面図、図５は図１の５−５線断面図、図６はシャッター板が開放位置に在る状態での図４に対応した断面図、図７はマグネットキーの一部切欠き側面図、図８は図７の８矢視図、図９は図３の９−９線断面図、図１０は図４で示すロータとは異なる種類のロータを示すための図４に対応した断面図、図１１は図１０で示したロータに対応したマグネットキーの図８に対応した図、図１２は図４および図１０で示したロータとは異なる種類のロータを示すための図４に対応した断面図、図１３は図１２で示したロータに対応したマグネットキーの図８に対応した図である。
【００１３】
先ず図１および図２において、車両たとえば自動二輪車用のシリンダ錠１５のシリンダボディ１６は、車体フレームのヘッドパイプ（図示せず）に設けられており、このシリンダボディ１６の前端部は、車体フレーム側に固定されるケーシング１８で覆われる。該ケーシング１８は、シリンダボディ１６の前端部に取付けられる非磁性材料製のケース部材１９と、該ケース部材１９に取付けられる非磁性材料製のカバー部材２０とから成る。
【００１４】
図３を併せて参照して、ケーシング１８には、シリンダ錠１５の前端中央部に開口されるキー孔１７に対応した挿入孔２１が設けられる。この挿入孔２１は、ケース部材１９およびカバー部材２０にそれぞれ同軸に設けられた透孔２２，２３で構成されており、透孔２３の外端部は図示しないキーの挿入を容易とするためにテーパ状に形成される。
【００１５】
さらに図４〜図６を併せて参照して、ケーシング１８内には、前記挿入孔２１を閉鎖する閉鎖位置（図４および図５の位置）ならびに前記挿入孔２１を開放する開放位置（図６の位置）間でのスライド作動を可能としたシャッター板２４が収納される。
【００１６】
このシャッター板２４のスライド作動は、ケーシング１８に配設されるマグネット錠２５Ａが備える嵌合凹部２７に、図２で示すようにマグネットキー３８Ａを嵌合することで許容されるものであり、マグネット錠２５Ａは、前記ケーシング１８と、前記シャッター板２４とは別体に形成されて前記ケーシング１８に回動可能に収容されるとともに前記嵌合凹部２７が設けられるロータ２６Ａと、該ロータ２６Ａに係合可能として前記ケーシング１８のケース部材１９に嵌合される複数個たとえば３個の永久磁石２８…とを備える。
【００１７】
ケーシング１８のケース部材１９は、カバー部材２０側に突出した横断面円形の回動支持部２９を一体に有して型成形されており、該回動支持部２９に対応する部分でカバー部材２０には円形の開口部３０が設けられる。
【００１８】
ロータ２６Ａは、前記回動支持部２９の先端に対向する壁部３１を軸方向中間部に有して非磁性材料による型成形で略円筒状に形成されており、Ｏリング３２を回動支持部２９の基部との間に介在させて該回動支持部２９で回動可能に支承され、ロータ２６Ａの外端は前記開口部３０に臨むように配置される。
【００１９】
シャッター板２４は、図４および図５で示す閉鎖位置と、図６で示す開放位置との間でのスライド作動を可能としてケーシング１８のケース部材１９およびカバー部材２０間に挟まれるものであり、ケース部材１９には、シャッター板２４の全面がケース部材１９に摺接することで摩擦抵抗が大きくなることを回避するために、複数個たとえば３個の突条３４Ａ，３４Ｂ，３４Ｃがシャッター板２４に摺接するようにして突設される。
【００２０】
ところで、ロータ２６Ａの嵌合凹部２７は、たとえば変則六角形の横断面形状を有するように形成され、また嵌合凹部２７の略中心Ｃには、半球状の突部３５Ａが突設される。而して嵌合凹部２７の横断面形状に対応した横断面形状を有するとともに前記突部３５Ａを嵌合せしめる凹部３６Ａを有するマグネットキー３８Ａのみを嵌合凹部２７に嵌合可能である。
【００２１】
前記回動支持部２９の先端には、たとえば正方形の各角部に対応した複数個たとえば４個の摺動凹部３７…が、ロータ２６Ａ側に開口するようにして設けられており、各摺動凹部３７…のうち選択された摺動凹部３７…たとえば３個の摺動凹部３７…には、ロータ２６Ａ側の磁極配置が適宜の組み合わせとなるようにして棒状の永久磁石２８…がそれぞれ摺動可能に嵌合され、選択された前記摺動凹部３７…の底部および各永久磁石２８…間には、各永久磁石２８…を回動支持部２９の先端から突出させる側にばね付勢するばね３９…がそれぞれ介設される。
【００２２】
一方、ロータ２６Ａの壁部３１には、前記各永久磁石２８…の一部を係合させる複数個、この実施例では４個の係合凹部４０…が設けられており、各永久磁石２８…の一部が係合凹部４０…にそれぞれ係合している状態では、ロータ２６Ａの回動作動が阻止されることになる。而して係合凹部４０…は、嵌合凹部２７の中心Ｃから放射状に延びる複数たとえば４つの直線Ｌ…上に配置されるものであり、各摺動凹部３７…および各係合凹部４０…は、前記中心Ｃからの距離を同一とするとともに周方向に沿う相互間の間隔を同一として配置される。
【００２３】
すなわち複数たとえば４個の前記係合凹部４０…が、嵌合凹部２７の中心Ｃから放射状に延びる直線Ｌ…上に配置されるようにして前記壁部３１に設けられており、前記永久磁石２８…は、前記係合凹部４０…のうち選択された係合凹部４０…たとえば３個の係合凹部４０…に係合する係合位置ならびに選択された前記係合凹部４０…との係合を解除する係合解除位置間での移動を可能とするとともに前記係合位置側に向けて弾発付勢されて複数の前記摺動凹部３７…のうち選択された摺動凹部３７…に摺動可能に嵌合される。
【００２４】
ロータ２６Ａの下部は、嵌合凹部２７に入った水を排出するための排出溝６８を形成するようにして切欠かれており、この排出溝６８に通じる排出通路６９が、ケース部材１９およびカバー部材２０の下部間に形成される。
【００２５】
図７および図８において、マグネットキー３８Ａは、シリンダ錠１５のキー孔１７に挿入されるメカニカルキー６６の摘まみ部６７に付設されるものであり、ロータ２６Ａにおける嵌合凹部２７の内周形状に対応した外周形状を有するように形成される。
【００２６】
このマグネットキー３８Ａには、前記回動支持部２９に設けられる複数の摺動凹部３７…ならびに前記ロータ２６Ａの壁部３１に設けられた複数の係合凹部４０…に対応した複数の収容凹部４１…が、ロータ２６Ａの壁部３１側に開口するようにして設けられ、前記収容凹部４１…のうち前記ケース部材１９およびロータ２６Ａ側の永久磁石２８…の配置に対応した位置に配置される複数個たとえば３個の収容凹部４１…に、棒状の永久磁石４２…がそれぞれ収容される。また各収容凹部４１…の開口端は、マグネットキー３８Ａに固定される非磁性材料製の閉塞板４３Ａで閉じられる。
【００２７】
またマグネットキー３８Ａには、前記各収容凹部４１…の略中心に位置する凹部３６Ａが、ロータ２６Ａの突部３５Ａを嵌合せしめるべく半球状に凹むようにして設けられており、前記閉塞板４３Ａには、前記凹部３６Ａを臨ませる円形の窓７０Ａが設けられる。
【００２８】
マグネットキー３８Ａに配設される各永久磁石４２…は、回動支持部２９側の各永久磁石２８…のロータ２６Ａ側の磁極と同一の磁極がロータ２６Ａ側に配置されるようにして収容凹部４１…に収容されるものであり、正規のマグネットキー３８Ａが凹部３６Ａに突部３５Ａを嵌合せしめるようにして嵌合凹部２７に位置決め、嵌合されたときには、図２で示すように、同一磁極の反発力によって、回動支持部２９側の永久磁石２８…はばね３９…のばね力に抗して係合凹部４０…から離脱するように摺動凹部３７…に押し込まれて係合解除位置となる側に駆動され、これによりロータ２６Ａの回動作動が許容されることになる。
【００２９】
ロータ２６Ａは、リンク機構４４を介してシャッター板２４の一端部に連結されるものであり、該リンク機構４４は、シャッター板２４の一端側に延びるようにしてロータ２６Ａの外周に一体に設けられる連結アーム４５と、ロータ２６Ａの回動軸線と平行な軸線を有して連結アーム４５の先端に設けられた連結軸４６と、該連結軸４６を回動可能に嵌合させるようにしてシャッター板２４の一端に設けられる連結孔４７とで構成される。
【００３０】
このようなリンク機構４４によれば、ロータ２６Ａの回動作動が許容されている状態で、ロータ２６Ａが回動すると、そのロータ２６Ａに追随してシャッター板２４がスライド作動する。しかもシャッター板２４の開放位置では回動支持部２９の各永久磁石２８…をロータ２６Ａの各係合凹部４０…に係合不能とするように、シャッター板２４の閉鎖位置および開放位置間でのスライド作動範囲に対応してロータ２６Ａの回動範囲が定められる。
【００３１】
ケーシング１８のケース部材１９およびシャッター板２４間には、閉鎖位置および開放位置間でのシャッター板２４のスライド作動をガイドするガイド手段４８が設けられるものであり、該ガイド手段４８は、シャッター板２４に植設されるガイドピン４９と、該ガイドピン４９を摺動自在に嵌合させるようにしてケース部材１９に設けられるガイド孔５０とで構成される。而してシャッター板２４は、ガイドピン４９がガイド孔５０内を移動するようにしてスライド作動する。
【００３２】
図９に特に注目して、ケーシング１８のケース部材１９と、ロータ２６Ａとの間には、シャッター板２４の閉鎖位置および開放位置に対応したロータ２６Ａの回動限を定めるクリック機構５１が設けられており、このクリック機構５１は、前記連結アーム４５とは反対側でロータ２６Ａの外周に一体に設けられた鍔部５２に対向して開口するようにしてケース部材１９に設けられる有底の収納穴５３と、該収納穴５３に摺動可能に嵌合されるボール５４と、該ボール５４を前記鍔部５２側に付勢するばね力を発揮するようにして収納穴５３に収納されるばね５５と、シャッター板２４が閉鎖位置にあるときに前記ボール５４を係合させるようにして鍔部５２に設けられる係合溝５６と、シャッター板２４が開放位置にあるときに前記ボール５４を係合させるようにして鍔部５２に設けられる係合溝５７とを備える。
【００３３】
ケーシング１８のケース部材１９およびシャッター板２４間には、シャッター板２４を開放位置で弾発的に保持する開放位置保持機構６０が設けられるものであり、この開放位置保持機構６０は、ケーシング１８のケース部材１９に突設された突部６１に一端が装着されるとともに他端には円弧状の係合部６２ａが設けられる板ばね６２と、開放位置にある状態で前記係合部６２ａを係合させるようにして前記ガイドピン４９の近傍でシャッター板２４の外周に設けられる係止部６３とで構成され、図６で示すようにシャッター板２４が開放位置にあるときに、係止部６３に係合部６２ａが弾発的に係合し、シャッター板２４を開放位置に保持することが可能である。
【００３４】
また開放位置保持機構６０でシャッター板２４が開放位置に保持されている状態で、閉鎖位置側への手動操作力をシャッター板２４に加えたときには、係止部６３への係合部６２ａの弾発係合を解除するように板ばね６２を撓ませることができ、それによりシャッター板２４を閉鎖位置側に回動することが可能である。
【００３５】
ロータ２６Ａの前記鍔部５２には、ケース部材１９とは反対側に突出するピン状の操作ノブ６４が設けられ、この操作ノブ６４を貫通させる貫通孔６５が、たとえば開口部３０に連なるようにしてケーシング１８のカバー部材２０に設けられる。しかも貫通孔６５は、シャッター板２４の閉鎖位置および開放位置間でのスライド作動に伴う前記操作ノブ６４の移動を許容するように形成される。
【００３６】
ところで前記ケーシング１８には、図１０で示すように、前記マグネット錠２５Ａとは異なる種類のマグネット錠２５Ｂも配設可能であり、このマグネット錠２５Ｂが備える嵌合凹部２７に、図１１で示すマグネットキー３８Ｂを嵌合することで前記シャッター板２４のスライド作動が許容される。
【００３７】
図１０に注目して、マグネット錠２５Ｂは、前記ケーシング１８と、前記シャッター板２４とは別体に形成されて前記ケーシング１８に回動可能に収容されるとともに前記嵌合凹部２７が設けられるロータ２６Ｂと、該ロータ２６Ｂに係合可能として前記ケーシング１８のケース部材１９に嵌合される複数個たとえば３個の永久磁石２８…とを備える。
【００３８】
ロータ２６Ｂは、前記ロータ２６Ａと同様に、嵌合凹部２７、該嵌合凹部２７の閉塞端となる壁部３１、ならびにケース部材１９の回動支持部２９に設けられた複数の前記摺動凹部３７に対応した位置で前記壁部３１に設けられて前記回動支持部２９側に向けて開放した複数の係合凹部４０を有して非磁性材料によって円筒状に形成されるとともに前記回動支持部２９で回動可能に支持され、リンク機構４４を介してシャッター板２４の一端部に連結されるものであるが、前記嵌合凹部２７内で前記壁部３１から突出される突部３５Ｂの外形形状ならびに前記嵌合凹部２７内での前記突部３５Ｂの配置の少なくとも一方、この実施例では突部３５Ｂの外形形状がマグネット錠２５Ａにおけるロータ２６Ａの突部３５Ａとは異なって形成される。
【００３９】
すなわち突部３５Ｂは、正方形状の外形形状を有して嵌合凹部２７の略中心Ｃに配置される。またロータ２６Ａの壁部３１には、前記各永久磁石２８…の一部を係合させる複数個、この実施例では４個の係合凹部４０…が設けられており、それらの係合凹部４０…は、嵌合凹部２７の中心Ｃから放射状に延びる複数たとえば４つの直線Ｌ…上に配置されており、各摺動凹部３７…は、前記中心Ｃからの距離を同一とするとともに周方向に沿う相互間の間隔を同一として配置される。
【００４０】
マグネットキー３８Ｂは、図１１で示すように、シリンダ錠１５のキー孔１７に挿入されるメカニカルキー６６の摘まみ部６７に付設されるものであり、ロータ２６Ｂにおける嵌合凹部２７の内周形状に対応した外周形状を有するように形成される。
【００４１】
このマグネットキー３８Ｂには、前記回動支持部２９に設けられる複数の摺動凹部３７…ならびに前記ロータ２６Ｂの壁部３１に設けられた複数の係合凹部４０…に対応した複数の収容凹部４１…が、ロータ２６Ｂの壁部３１側に開口するようにして設けられ、各収容凹部４１…の開口端は、マグネットキー３８Ｂに固定される非磁性材料製の閉塞板４３Ｂで閉じられる。
【００４２】
またマグネットキー３８Ｂには、前記各収容凹部４１…の略中心に位置する凹部３６Ｂが、ロータ２６Ｂの突部３５Ｂを嵌合せしめるべく正方形状に凹むようにして設けられており、前記閉塞板４３Ｂには、前記凹部３６Ｂを臨ませる正方形の窓７０Ｂが設けられる。
【００４３】
また前記ケーシング１８には、図１２で示すように、前記マグネット錠２５Ａ，２５Ｂとは異なる種類のマグネット錠２５Ｃも配設可能であり、このマグネット錠２５Ｃが備える嵌合凹部２７に、図１３で示すマグネットキー３８Ｃを嵌合することで前記シャッター板２４のスライド作動が許容される。
【００４４】
図１２に注目して、マグネット錠２５Ｃは、前記ケーシング１８と、前記シャッター板２４とは別体に形成されて前記ケーシング１８に回動可能に収容されるとともに前記嵌合凹部２７が設けられるロータ２６Ｃと、該ロータ２６Ｃに係合可能として前記ケーシング１８のケース部材１９に嵌合される複数個たとえば３個の永久磁石２８…とを備える。
【００４５】
ロータ２６Ｃは、前記ロータ２６Ａ，２６Ｂと同様に、嵌合凹部２７、該嵌合凹部２７の閉塞端となる壁部３１、ならびにケース部材１９の回動支持部２９に設けられた複数の前記摺動凹部３７に対応した位置で前記壁部３１に設けられて前記回動支持部２９側に向けて開放した複数の係合凹部４０を有して非磁性材料によって円筒状に形成されるとともに前記回動支持部２９で回動可能に支持され、リンク機構４４を介してシャッター板２４の一端部に連結されるものであるが、前記嵌合凹部２７内で前記壁部３１から突出される突部３５Ｃの外形形状ならびに嵌合凹部２７内での突部３５Ｃの配置の少なくとも一方、この実施例では突部３５Ｃの外形形状がマグネット錠２５Ａ，２５Ｂにおけるロータ２６Ａ，２６Ｂの突部３５Ａ，３５Ｂとは異なって形成される。
【００４６】
すなわち突部３５Ｃは、三角形の外形形状を有して嵌合凹部２７の略中心Ｃに配置される。またロータ２６Ｂの壁部３１には、前記各永久磁石２８…の一部を係合させる複数個、この実施例では４個の係合凹部４０…が設けられており、それらの係合凹部４０…は、嵌合凹部２７の中心Ｃから放射状に延びる複数たとえば４つの直線Ｌ…上に配置されており、各摺動凹部３７…は、前記中心Ｃからの距離を同一とするとともに周方向に沿う相互間の間隔を同一として配置される。
【００４７】
マグネットキー３８Ｃは、図１３で示すように、シリンダ錠１５のキー孔１７に挿入されるメカニカルキー６６の摘まみ部６７に付設されるものであり、ロータ２６Ｂにおける嵌合凹部２７の内周形状に対応した外周形状を有するように形成される。
【００４８】
このマグネットキー３８Ｃには、前記回動支持部２９に設けられる複数の摺動凹部３７…ならびに前記ロータ２６Ｃの壁部３１に設けられた複数の係合凹部４０…に対応した複数の収容凹部４１…が、ロータ２６Ｃの壁部３１側に開口するようにして設けられ、各収容凹部４１…の開口端は、マグネットキー３８Ｃに固定される非磁性材料製の閉塞板４３Ｃで閉じられる。
【００４９】
またマグネットキー３８Ｃには、前記各収容凹部４１…の略中心に位置する凹部３６Ｃが、ロータ２６Ｂの突部３５Ｃを嵌合せしめるべく三角形状に凹むようにして設けられており、前記閉塞板４３Ｃには、前記凹部３６Ｃを臨ませる三角形の窓７０Ｃが設けられる。
【００５０】
すなわち嵌合凹部２７の形状を同一とするとともに突部３５Ａ，３５Ｂ，３５Ｃの外形形状ならびに嵌合凹部２７内での前記突部３５Ａ〜３５Ｃの配置の少なくとも一方、この実施例では前記突部３５Ａ〜３５Ｃの外形形状を異ならせて複数種類たとえば３種類のロータ２６Ａ〜２６Ｃが構成され、それらのロータ２６Ａ〜２６Ｃのうち選択されたロータを用いてマグネット錠２５Ａ〜２５Ｃが構成され、各マグネット錠２５Ａ〜２５Ｃに対応したマグネットキー３８Ａ〜３８Ｃは、マグネット錠２５Ａ〜２５Ｃの突部３５Ａ〜３５Ｃをそれぞれ嵌合せしめる凹部３６Ａ〜３６Ｃを有するように構成されることになる。
【００５１】
次にこの実施例の作用について説明すると、嵌合凹部２７の形状を同一とするとともに突部３５Ａ〜３５Ｃの外形形状を相互に異ならせて複数種類たとえば３種類のロータ２６Ａ〜２６Ｃが構成され、それらのロータ２６Ａ〜２６Ｃのうち選択されたロータを用いてマグネット錠２５Ａ〜２５Ｃが構成されるので、各マグネット錠２５Ａ〜２５Ｃに対応するべく、前記各突部３５Ａ〜３５Ｃを嵌合せしめる凹部３６Ａ〜３６Ｃを有するようにして複数種類たとえば３種類のマグネットキー３８Ａ〜３８Ｃが構成されることになり、摺動凹部３７…および係合凹部４０…の個数を増やすことなく、簡単な変更でマグネットキー３８Ａ〜３８Ｃの種類を増大することが可能であり、マグネット錠２５Ａ〜２５Ｃの大型化およびコスト高を招くことはない。
【００５２】
すなわち４個の摺動凹部３７…のうち選択された３個の摺動凹部３７…に永久磁石２８…を摺動可能に嵌合せしめ、それらの永久磁石２８…を３個の係合凹部４０…に係脱可能に係合せしめるのであるが、永久磁石２８…の磁極の配置によって１つのマグネット錠に対してたとえば２４種類のマグネットキーを用いることができるとしたときに、突部３５Ａ〜３５Ｃの形状を異ならせた３種類のマグネット錠２５Ａ〜２５Ｃを構成することで、マグネットキー３８Ａ〜３８Ｃの種類を７２種類に増大することが可能となる。
【００５３】
また上述のマグネット錠２５Ｂにおいて、正方形状の突部３５Ｂを４５度角変位させることで、正方形の凹部３６Ｂを有するマグネットキー３８Ｂの種類を倍増させることができ、さらに上述のマグネット錠２５Ｃにおいて、三角形状の突部３５Ｃを９０度ずつ角変位させることで、三角形の凹部３６Ｃを有するマグネットキー３８Ｃの種類を４倍増させることができる。
【００５４】
また突部３５Ａ〜３５Ｃが嵌合凹部２７のほぼ中心Ｃに配置され、係合凹部４０…が嵌合凹部２７の中心Ｃから放射状に延びる複数の直線Ｌ上に配置されるので、突部３５Ａ〜３５Ｃが永久磁石２８…の配置の邪魔になることはない。
【００５５】
さらにシリンダ錠１５のシャッター装置用としてマグネット錠２５Ａ〜２５Ｃが用いられるのであるが、シリンダ錠１５のシャッター装置用として用いるにあたって、マグネットキー３８Ａ〜３８Ｃの種類を簡単に増大することができる。
【００５６】
以上、本発明の実施例を説明したが、本発明は上記実施例に限定されるものではなく、特許請求の範囲に記載された本発明を逸脱することなく種々の設計変更を行うことが可能である。
【００５７】
たとえば上記実施例では、マグネット錠２５Ａ〜２５Ｃにおけるロータ２６Ａ〜２６Ｃが備える突部３５Ａ〜３５Ｃの外形形状を半球状、正方形状および三角形状の３種類としたが、略「Ｄ」字状に突部を形成することも可能である。また各突部の外形形状を同一として嵌合凹部２７内での配置を相互に異ならせるようにしてもよく、さらに突部３５Ａ〜３５Ｃの外形形状および嵌合凹部２７内での配置の両方を相互に異ならせるようにしてもよい。
【図面の簡単な説明】
【００５８】
【図１】シャッター板が閉鎖位置に在ってマグネットキーを嵌合する前の状態でのシリンダ錠の保護装置の縦断側面図であって図３の１−１線に沿う断面図である。
【図２】シャッター板が閉鎖位置に在ってマグネットキーを嵌合した状態でのシリンダ錠の保護装置の縦断側面図である。
【図３】図１の３−３線矢視図である。
【図４】図１の４−４線断面図である。
【図５】図１の５−５線断面図である。
【図６】シャッター板が開放位置に在る状態での図４に対応した断面図である。
【図７】マグネットキーの一部切欠き側面図である。
【図８】図７の８矢視図である。
【図９】図３の９−９線断面図である。
【図１０】図４で示すロータとは異なる種類のロータを示すための図４に対応した断面図である。
【図１１】図１０で示したロータに対応したマグネットキーの図８に対応した図である。
【図１２】図４および図１０で示したロータとは異なる種類のロータを示すための図４に対応した断面図である。
【図１３】図１２で示したロータに対応したマグネットキーの図８に対応した図である。
【符号の説明】
【００５９】
１５・・・シリンダ錠
１６・・・シリンダボディ
１７・・・キー孔
１８・・・ケーシング
１９・・・ケース部材
２０・・・カバー部材
２１・・・挿入孔
２４・・・シャッター板
２５Ａ，２５Ｂ．２５Ｃ・・・マグネット錠
２６Ａ，２６Ｂ，２６Ｃ・・・ロータ
２７・・・嵌合凹部
２８・・・永久磁石
２９・・・回動支持部
３０・・・開口部
３１・・・壁部
３７・・・摺動凹部
３８Ａ，３８Ｂ，３８Ｃ・・・マグネットキー
４０・・・係合凹部
【図１】
2009138465.tif 000003
【図２】
2009138465.tif 000004
【図３】
2009138465.tif 000005
【図４】
2009138465.tif 000006
【図５】
2009138465.tif 000007
【図６】
2009138465.tif 000008
【図７】
2009138465.tif 000009
【図８】
2009138465.tif 000010
【図９】
2009138465.tif 000011
【図１０】
2009138465.tif 000012
【図１１】
2009138465.tif 000013
【図１２】
2009138465.tif 000014
【図１３】
2009138465.tif 000015